(57)【要約】【課題】ＳＲＶＣＣ改善方式に適応可能なＵＥが、音声通信用の経路を設定する際に、ＳＲＶＣＣ改善方式に適応可能なＳＲＶＣＣ改善方式に適応可能なＰ-ＣＳＣＦ/ＶＡＴＦを選択する。【解決手段】本発明に係る移動通信方法は、ＭＭＥが、ＵＥ＃１から受信した「Ａｔｔａｃｈ  Ｒｅｑｕｅｓｔ」に応じて、Ｓ-ＧＷ/Ｐ-ＧＷに対して、ＵＥ＃１にＳＲＶＣＣ改善方式を適用するか否かについて示すＳＲＶＣＣ改善方式適用情報を送信する工程Ａと、ＳＲＶＣＣ改善方式適用情報を受信したＳ-ＧＷ/Ｐ-ＧＷが、Ｐ-ＣＳＣＦ/ＶＡＴＦの識別情報を示すＰ-ＣＳＣＦ情報を、ＵＥ＃１に対して通知する工程Ｂとを有する。【選択図】図２
2011259015.tif 000002
【特許請求の範囲】
【請求項１】
回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムにおける移動通信方法であって、
前記第１無線アクセスネットワークに接続されている移動管理ノードが、前記第１移動局から受信した位置登録要求信号に応じて、該第１無線アクセスネットワークに接続されているゲートウェイ装置に対して、該第１移動局に前記切替方式を適用するか否かについて示す適用情報を送信する工程Ａと、
前記適用情報を受信した前記ゲートウェイ装置が、前記所定ノードに対して前記音声通信用の経路の切替指示を送信することができる切替指示ノードの識別情報を、前記第１移動局に対して通知する工程Ｂとを有することを特徴とする移動通信方法。
【請求項２】
前記工程Ａにおいて、前記移動管理ノードは、前記ゲートウェイ装置に対して、ベアラ生成要求信号によって前記適用情報を送信し、
前記工程Ｂにおいて、前記ゲートウェイ装置は、前記移動管理ノードに対して、ベアラ生成応答信号によって前記切替指示ノードの識別情報を送信し、該移動管理ノードは、前記第１移動局に対して、位置登録応答信号によって該切替指示ノードの識別情報を送信することを特徴とする請求項１に記載の移動通信方法。
【請求項３】
前記工程Ａにおいて、前記移動管理ノードは、前記ゲートウェイ装置に対して、ベアラ生成要求信号によって前記適用情報を送信し、
前記工程Ｂにおいて、前記ゲートウェイ装置は、前記第１移動局からのＤＨＣＰ要求信号に対するＤＨＣＰ応答信号によって前記切替指示ノードの識別情報を送信することを特徴とする請求項１に記載の移動通信方法。
【請求項４】
回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムであって、
前記第１無線アクセスネットワークに接続されている移動管理ノードは、前記第１移動局から受信した位置登録要求信号に応じて、該第１無線アクセスネットワークに接続されているゲートウェイ装置に対して、該第１移動局に前記切替方式を適用するか否かについて示す適用情報を送信するように構成されており、
前記適用情報を受信した前記ゲートウェイ装置は、前記所定ノードに対して前記音声通信用の経路の切替指示を送信することができる切替指示ノードの識別情報を、前記第１移動局に対して通知するように構成されていることを特徴とする移動通信システム。
【請求項５】
前記移動管理ノードは、前記ゲートウェイ装置に対して、ベアラ生成要求信号によって前記適用情報を送信するように構成されており、
前記ゲートウェイ装置は、前記移動管理ノードに対して、ベアラ生成応答信号によって前記切替指示ノードの識別情報を送信するように構成されており、
前記移動管理ノードは、前記第１移動局に対して、位置登録応答信号によって前記切替指示ノードの識別情報を送信するように構成されていることを特徴とする請求項４に記載の移動通信システム。
【請求項６】
前記移動管理ノードは、前記ゲートウェイ装置に対して、ベアラ生成要求信号によって前記適用情報を送信するように構成されており、
前記ゲートウェイ装置は、前記第１移動局からのＤＨＣＰ要求信号に対するＤＨＣＰ応答信号によって前記切替指示ノードの識別情報を送信するように構成されていることを特徴とする請求項４に記載の移動通信システム。
【請求項７】
回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムにおいて、前記第１移動局として機能する移動局であって、
前記第１無線アクセスネットワークに接続されているゲートウェイ装置から位置登録応答信号を受信した場合に、該ゲートウェイ装置に対してＤＨＣＰ要求信号を送信することによって、前記所定ノードに対して前記音声通信用の経路の切替指示を送信することができる切替指示ノードの識別情報を取得するように構成されていることを特徴とする移動局。
【請求項８】
回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムにおいて、該第１無線アクセスネットワークに接続されているゲートウェイ装置であって、
受信した前記第１移動局に前記切替方式を適用するか否かについて示す適用情報に基づいて、前記所定ノードに対して前記音声通信用の経路の切替指示を送信することができる切替指示ノードを選択するように構成されており、
前記第１移動局に対して、選択した前記切替指示ノードの識別情報を通知するように構成されていることを特徴とするゲートウェイ装置。
【発明の詳細な説明】
【技術分野】
【０００１】
本発明は、移動通信方法、移動通信システム、移動局及びゲートウェイ装置に関する。
【背景技術】
【０００２】
従来、２Ｇ/３Ｇ方式の無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、或いは、ＧＥＲＡＮ：ＧＳＭ  ＥＤＧＥ  Ｒａｄｉｏ  Ａｃｃｅｓｓ  Ｎｅｔｗｏｒｋ）、及び、ＬＴＥ（Ｌｏｎｇ  Ｔｅｒｍ  Ｅｖｏｌｕｔｉｏｎ）方式の無線アクセスネットワーク（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
３ＧＰＰ  ＴＳ２３.２１６において、ＵＥ（Ｕｓｅｒ  Ｅｑｕｉｐｍｅｎｔ）＃１とＵＥ＃２との間の音声通信用の経路を、Ｅ-ＵＴＲＡＮ或いはＵＴＲＡＮを介した経路（ＶｏＩＰ（Ｖｏｉｃｅ  ｏｖｅｒ  ＩＰ）通信用の経路）からＵＴＲＡＮ/ＧＥＲＡＮを介した経路（回線交換（ＣＳ：Ｃｉｒｃｕｉｔ  Ｓｗｉｔｃｈ）通信用の経路）に切り替える「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）方式」について規定されている（非特許文献１参照）。
【０００４】
また、３ＧＰＰ  ＴＲ２３.８５６  ｖ０.４.１のＡｌｔ.４やＡｌｔ.１１等において、ＵＥ＃１の在圏ネットワーク内のＭＧＷ（Ｍｅｄｉａ  Ｇａｔｅｗａｙ）＃１をアンカーポイントとして、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ方式（以下、ＳＲＶＣＣ改善方式と呼ぶ）が規定されている（非特許文献２参照）。
【０００５】
かかるＳＲＶＣＣ改善方式によれば、ＵＥ＃１とＵＥ＃２との間の音声通信用の経路を切り替えるために必要な信号を、ＵＥ＃１の在圏ネットワーク内で終端することができ、従来のＳＲＶＣＣ方式と比べて、かかる信号のＵＥ＃１の在圏ネットワークとＵＥ＃１のホームネットワークとの間の往復に起因する通信瞬断時間を短縮することができる。
【０００６】
以下、図６を参照して、ＵＥ＃１とＵＥ＃２との間の音声通信用の経路を設定する手順について説明する。
【０００７】
図６に示すように、ステップ１において、ＵＥ＃１は、Ｐ-ＣＳＣＦ（Ｐｒｏｘｙ-Ｃａｌｌ  Ｓｅｓｓｉｏｎ  Ｃｏｎｔｒｏｌ  Ｆｕｎｃｔｉｏｎ）/ＶＡＴＦ（Ｖｉｓｉｔｅｄ  Ａｃｃｅｓｓ  Ｔｒａｎｓｆｅｒ  Ｆｕｎｃｔｉｏｎ）に対して、「ＩＮＶＩＴＥ」を送信する。
【０００８】
ステップ２において、Ｐ-ＣＳＣＦ/ＶＡＴＦは、かかる経路に対して、ＭＧＷ＃１を割り当てる。
【０００９】
さらに、Ｐ-ＣＳＣＦ/ＶＡＴＦは、Ｉ/Ｓ-ＣＳＣＦ（Ｉｎｔｅｒｏｇａｔｉｏｎ/Ｓｅｒｖｉｎｇ-Ｃａｌｌ  Ｓｅｓｓｉｏｎ  Ｃｏｎｔｒｏｌ  Ｆｕｎｃｔｉｏｎ）に対して、ＭＧＷ＃１の識別情報、及び、ＳＲＶＣＣ改善方式を用いることができることを示す「ｅＳＲＶＣＣ」を含む「ＩＮＶＩＴＥ」を送信する。
【００１０】
ステップ３において、Ｉ/Ｓ-ＣＳＣＦは、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）に対して、「ｅＳＲＶＣＣ」を含む「ＩＮＶＩＴＥ」を送信する。
【００１１】
ステップ４において、ＳＣＣ  ＡＳは、Ｉ/Ｓ-ＣＳＣＦに対して、「ＩＮＶＩＴＥ」を送信し、ステップ５において、Ｉ/Ｓ-ＣＳＣＦは、ＵＥ＃２に対して、「ＩＮＶＩＴＥ」を送信する。
【００１２】
ステップ６において、ＵＥ＃２は、Ｉ/Ｓ-ＣＳＣＦに対して、「２００  ＯＫ（「ＩＮＶＩＴＥ」に対する応答信号）」を送信し、ステップ７において、Ｉ/Ｓ-ＣＳＣＦは、ＳＣＣ  ＡＳに対して、「２００  ＯＫ」を送信し、ステップ８において、ＳＣＣ  ＡＳは、Ｉ/Ｓ-ＣＳＣＦに対して、「２００  ＯＫ」を送信し、ステップ９において、Ｉ/Ｓ-ＣＳＣＦは、Ｐ-ＣＳＣＦ/ＶＡＴＦに対して、「２００  ＯＫ」を送信し、ステップ１０において、Ｐ-ＣＳＣＦ/ＶＡＴＦは、ＵＥ＃１に対して、「２００  ＯＫ」を送信する。
【００１３】
この結果、ＵＥ＃１とＵＥ＃２との間の音声通信用のシグナリング経路が、ＵＥ＃１とＰ-ＣＳＣＦ/ＶＡＴＦとＩ/Ｓ-ＣＳＣＦとＵＥ＃２との間で設定され、ＵＥ＃１とＵＥ＃２との間の音声通信用のメディア信号経路が、ＵＥ＃１とＭＧＷ＃１とＵＥ＃２との間で設定される。
【先行技術文献】
【非特許文献】
【００１４】
【非特許文献１】３ＧＰＰ  ＴＳ２３.２１６
【非特許文献２】３ＧＰＰ  ＴＲ２３.８５６  ｖ０.４.１
【発明の概要】
【発明が解決しようとする課題】
【００１５】
しかしながら、図６に示す手順では、ＵＥ＃１は、ＳＲＶＣＣ改善方式に適応可能な場合であっても、ＵＥ＃１とＵＥ＃２との間の音声通信用の経路を設定する際に、ＳＲＶＣＣ改善方式に適応可能なＰ-ＣＳＣＦ/ＶＡＴＦ（すなわち、ＶＡＴＦを具備するＰ-ＣＳＣＦ或いはＶＡＴＦと連携可能なＰ-ＣＳＣＦ等）を選択することができないという問題点があった。
【００１６】
そこで、本発明は、上述の課題に鑑みてなされたものであり、ＳＲＶＣＣ改善方式に適応可能なＵＥが、音声通信用の経路を設定する際に、ＳＲＶＣＣ改善方式に適応可能なＰ-ＣＳＣＦ/ＶＡＴＦを選択することができる移動通信方法、移動通信システム、移動局及びゲートウェイ装置を提供することを目的とする。
【課題を解決するための手段】
【００１７】
本発明の第１の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式が適応可能である移動通信システムにおける移動通信方法であって、前記第１無線アクセスネットワークに接続されている移動管理ノードが、前記第１移動局から受信した位置登録要求信号に応じて、該第１無線アクセスネットワークに接続されているゲートウェイ装置に対して、該第１移動局に前記切替方式を適用するか否かについて示す適用情報を送信する工程Ａと、前記適用情報を受信した前記ゲートウェイ装置が、前記所定ノードに対して前記音声通信用の経路の切替指示を送信することができる切替指示ノードの識別情報を、前記第１移動局に対して通知する工程Ｂとを有することを要旨とする。
【００１８】
本発明の第２の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式が適応可能である移動通信システムであって、前記第１無線アクセスネットワークに接続されている移動管理ノードは、前記第１移動局から受信した位置登録要求信号に応じて、該第１無線アクセスネットワークに接続されているゲートウェイ装置に対して、該第１移動局に前記切替方式を適用するか否かについて示す適用情報を送信するように構成されており、前記適用情報を受信した前記ゲートウェイ装置は、前記所定ノードに対して前記音声通信用の経路の切替指示を送信することができる切替指示ノードの識別情報を、前記第１移動局に対して通知するように構成されていることを要旨とする。
【００１９】
本発明の第３の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムにおいて、前記第１移動局として機能する移動局であって、前記第１無線アクセスネットワークに接続されているゲートウェイ装置から位置登録応答信号を受信した場合に、該ゲートウェイ装置に対してＤＨＣＰ要求信号を送信することによって、前記所定ノードに対して前記音声通信用の経路の切替指示を送信することができる切替指示ノードの識別情報を取得するように構成されていることを要旨とする。
【００２０】
本発明の第４の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムにおいて、該第１無線アクセスネットワークに接続されているゲートウェイ装置であって、受信した前記第１移動局に前記切替方式を適用するか否かについて示す適用情報に基づいて、前記所定ノードに対して前記音声通信用の経路の切替指示を送信することができる切替指示ノードを選択するように構成されており、前記第１移動局に対して、選択した前記切替指示ノードの識別情報を通知するように構成されていることを要旨とする。
【発明の効果】
【００２１】
以上説明したように、本発明によれば、ＳＲＶＣＣ改善方式に適応可能なＵＥが、音声通信用の経路を設定する際に、ＳＲＶＣＣ改善方式に適応可能なＳＲＶＣＣ改善方式に適応可能なＰ-ＣＳＣＦ/ＶＡＴＦを選択することができる移動通信方法、移動通信システム、移動局及びゲートウェイ装置を提供することができる。
【図面の簡単な説明】
【００２２】
【図１】本発明の第１の実施形態に係る移動通信システムの全体構成図である。
【図２】本発明の第１の実施形態に係る移動通信システムの動作について説明するシーケンス図である。
【図３】本発明の第１の実施形態に係る移動通信システムで送信される「Ａｔｔａｃｈ  Ｒｅｑｕｅｓｔ」及び「ＴＡＵ  Ｒｅｑｕｅｓｔ」におけるＳＲＶＣＣ能力表示について説明するための図である。
【図４】変更例１に係る移動通信システムの動作について説明するシーケンス図である。
【図５】変更例２に係る移動通信システムの動作について説明するシーケンス図である。
【図６】従来の移動通信システムの動作について説明するシーケンス図である。
【発明を実施するための形態】
【００２３】
（本発明の第１の実施形態に係る移動通信システム）
図１乃至図３を参照して、本発明の第１の実施形態に係る移動通信システムについて説明する。
【００２４】
本実施形態に係る移動通信システムには、Ｅ-ＵＴＲＡＮと、ＵＴＲＡＮ/ＧＥＲＡＮとが収容されている。
【００２５】
具体的には、図１に示すように、本実施形態に係る移動通信システムは、ＵＥ＃１の在圏ネットワークにおいて、ｅＮＢ（無線基地局）や、ＲＮＣ（Ｒａｄｉｏ  Ｎｅｔｗｏｒｋ  Ｃｏｎｔｒｏｌｌｅｒ、無線回線制御局）や、ＮｏｄｅＢ（無線基地局）や、ＢＳＳ（不図示）や、ＭＭＥ（Ｍｏｂｉｌｉｔｙ  Ｍａｎａｇｅｍｅｎｔ  Ｅｎｔｉｔｙ、移動管理ノード）や、Ｓ-ＧＷ（Ｓｅｒｖｉｎｇ-Ｇａｔｅｗａｙ、サービングゲートウェイ装置）や、Ｐ-ＧＷ（ＰＤＮ-Ｇａｔｅｗａｙ、ＰＤＮゲートウェイ装置）や、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバや、Ｐ-ＣＳＣＦ/ＶＡＴＦや、ＭＧＷ＃１や、ＭＳＣ（Ｍｏｂｉｌｅ-ｓｅｒｖｉｃｅ  Ｓｗｉｔｃｈｉｎｇ  Ｃｅｎｔｅｒ、回線交換機）や、ＳＧＳＮ（Ｓｅｒｖｉｎｇ  ＧＰＲＳ  Ｓｕｐｐｏｒｔ  Ｎｏｄｅ、パケット交換機）や、ＭＳＣサーバや、ＭＧＷ＃２等を具備している。
【００２６】
ここで、Ｐ-ＣＳＣＦ及びＶＡＴＦは、同一の装置に設けられていてもよいし、別個の装置に設けられていてもよい。また、ＶＡＴＦは、例えば、Ｐ-ＧＷや、Ｓ-ＧＷや、ＩＢＣＦ（３ＧＰＰ  ＴＳ２３.２２８に記載のＩｎｔｅｒｃｏｎｎｅｃｔｉｏｎ  Ｂｏｒｄｅｒ  Ｃｏｎｔｒｏｌ  Ｆｕｎｃｔｉｏｎ、不図示）といった装置に設けられていてもよい。
【００２７】
また、本実施形態に係る移動通信システムは、ＵＥ＃１のホームネットワークにおいて、ＳＣＣ  ＡＳや、Ｉ/Ｓ-ＣＳＣＦ等を具備している。
【００２８】
ここで、本実施形態に係る移動通信システムでは、ＳＲＶＣＣ方式やＳＲＶＣＣ改善方式によって、ＵＥ＃１とＵＥ＃２との間の音声通信用の経路を、Ｅ-ＵＴＲＡＮ或いはＵＴＲＡＮを介した経路（ＩＭＳ  ＶｏＩＰ通信用の経路）からＵＴＲＡＮ/ＧＥＲＡＮを介した経路（回線交換通信用の経路）に切り替えることができる。
【００２９】
以下、図２及び図３を参照して、本実施形態に係る移動通信システムにおいて、Ｅ-ＵＴＲＡＮに対するＵＥ＃１のＡｔｔａｃｈ手順について説明する。
【００３０】
図２に示すように、ＵＥ＃１は、ステップＳ１００１において、ＭＭＥに対して、ＵＥ＃１がＳＲＶＣＣ方式に適応可能な否かについて示すＵＥ＃１のＳＲＶＣＣ能力を含む「Ａｔｔａｃｈ  Ｒｅｑｕｅｓｔ」を送信する。
【００３１】
具体的には、かかるＳＲＶＣＣ能力は、図３に示すように、「Ａｔｔａｃｈ  Ｒｅｑｕｅｓｔ」内の「ＭＳ  ｎｅｔｗｏｒｋ  ｃａｐａｂｉｌｉｔｙ  ｖａｌｕｅ」によって表示される（例えば、３ＧＰＰ  ＴＳ２４.００８の１０.５.５１２参照）。
【００３２】
ステップＳ１００２において、ＵＥ＃１についての認証・秘匿処理及び位置登録処理が行われる。
【００３３】
ＭＭＥは、ステップＳ１００３において、ＨＳＳ（Ｈｏｍｅ  Ｓｕｂｓｃｒｉｂｅｒ  Ｓｅｒｖｅｒ）によって管理されているＵＥ＃１の加入者プロファイルや、ＵＥ＃１のＳＲＶＣＣ能力や、ＵＥ＃１のホームネットワークや在圏ネットワークのポリシー等によって、ＵＥ＃１にＳＲＶＣＣ改善方式を適用するか否かについて判定し、ステップＳ１００４において、Ｓ-ＧＷに対して、ＵＥ＃１にＳＲＶＣＣ改善方式を適用するか否かについて示すＳＲＶＣＣ改善方式適用情報を含む「Ｃｒｅａｔｅ  Ｂｅａｒｅｒ  Ｒｅｑｕｅｓｔ」を送信する。
【００３４】
ステップＳ１００５において、Ｓ-ＧＷは、Ｐ-ＧＷに対して、ＳＲＶＣＣ改善方式適用情報を含む「Ｃｒｅａｔｅ  Ｂｅａｒｅｒ  Ｒｅｑｕｅｓｔ」を送信する。
【００３５】
Ｐ-ＧＷは、ステップＳ１００６において、ＳＲＶＣＣ改善方式に適応可能なＰ-ＣＳＣＦ/ＶＡＴＦ（すなわち、ＶＡＴＦを具備するＰ-ＣＳＣＦ或いはＶＡＴＦと連携可能なＰ-ＣＳＣＦ等）を選択し、ステップＳ１００７において、Ｓ-ＧＷに対して、かかるＰ-ＣＳＣＦ/ＶＡＴＦの識別情報を示すＰ-ＣＳＣＦ情報を含む「Ｃｒｅａｔｅ  Ｂｅａｒｅｒ  Ｒｅｓｐｏｎｓｅ」を送信する。
【００３６】
ステップＳ１００８において、Ｓ-ＧＷは、ＭＭＥに対して、かかるＰ-ＣＳＣＦ情報を含む「Ｃｒｅａｔｅ  Ｂｅａｒｅｒ  Ｒｅｓｐｏｎｓｅ」を送信する。
【００３７】
ステップＳ１００９において、ＭＭＥは、ＵＥ＃１に対して、かかるＰ-ＣＳＣＦ情報を含む「Ａｔｔａｃｈ  Ｒｅｓｐｏｎｓｅ」を送信する。
【００３８】
この結果、ＵＥ＃１は、図５に示すＵＥ＃１とＵＥ＃２との間の音声通信用の経路を設定する手順のステップ１において、かかるＰ-ＣＳＣＦ情報によって特定されるＰ-ＣＳＣＦ/ＶＡＴＦ（すなわち、ＳＲＶＣＣ改善方式に適応可能なＰ-ＣＳＣＦ）に対して、「ＩＮＶＩＴＥ」を送信することができ、ＳＲＶＣＣ改善方式によって、かかる経路を、Ｅ-ＵＴＲＡＮを介した経路からＵＴＲＡＮ/ＧＥＲＡＮを介した経路に切り替えることができる。
【００３９】
なお、ＳＲＶＣＣ改善方式では、かかるＰ-ＣＳＣＦ/ＶＡＴＦが、ＭＧＷ＃１に対して、ＵＥ＃１とＵＥ＃２との間の音声通信用の経路の切替を指示するように構成されている。
【００４０】
（変更例１）
以下、図４を参照して、上述の第１の実施形態の変更例１に係る移動通信システムについて、上述の第１の実施形態に係る移動通信システムとの相違点に着目して説明する。
【００４１】
以下、図４を参照して、本変更例１に係る移動通信システムにおいて、Ｅ-ＵＴＲＡＮに対するＵＥ＃１のＡｔｔａｃｈ手順について説明する。
【００４２】
図４に示すように、ステップＳ２００１乃至Ｓ２００５の動作は、図２に示すステップＳ１００１乃至Ｓ１００５の動作と同一である。
【００４３】
Ｐ-ＧＷは、ステップＳ２００６において、ＵＥ＃１の識別情報とＳＲＶＣＣ回線方式適用情報とを関連付けて保持し、ステップＳ２００７において、Ｓ-ＧＷに対して、「Ｃｒｅａｔｅ  Ｂｅａｒｅｒ  Ｒｅｓｐｏｎｓｅ」を送信する。
【００４４】
ステップＳ２００８において、Ｓ-ＧＷは、ＭＭＥに対して、「Ｃｒｅａｔｅ  Ｂｅａｒｅｒ  Ｒｅｓｐｏｎｓｅ」を送信する。
【００４５】
ステップＳ２００９において、ＭＭＥは、ＵＥ＃１に対して、「Ａｔｔａｃｈ  Ｒｅｓｐｏｎｓｅ」を送信する。
【００４６】
ステップＳ２０１０において、ＵＥ＃１は、Ｐ-ＧＷに対して、ＤＨＣＰ要求信号を送信する。
【００４７】
ＵＥ＃１は、ＤＨＣＰ要求信号内に、ＳＲＶＣＣ改善方式に適応可能なＰ-ＣＳＣＦ/ＶＡＴＦのみを選択する指示を行う場合と、通常のＩＭＳ端末と同様に、Ｐ-ＣＳＣＦを単に選択指示する場合とがある。
【００４８】
ステップＳ２０１１において、Ｐ-ＧＷは、ＳＲＶＣＣ改善方式に適応可能なＰ-ＣＳＣＦ/ＶＡＴＦ（すなわち、ＶＡＴＦを具備するＰ-ＣＳＣＦ或いはＶＡＴＦと連携可能なＰ-ＣＳＣＦ等）を選択する。
【００４９】
この場合、Ｐ-ＧＷは、ステップＳ２０１０においてＵＥ＃１によってＤＨＣＰ要求信号に設定された情報を考慮してもよい。
【００５０】
なお、Ｐ-ＧＷは、ステップＳ２０１２において、外部のＤＨＣＰサーバから、ＳＲＶＣＣ改善方式に適応可能なＰ-ＣＳＣＦ/ＶＡＴＦ（すなわち、ＶＡＴＦを具備するＰ-ＣＳＣＦ或いはＶＡＴＦと連携可能なＰ-ＣＳＣＦ等）を選択するための情報を取得してもよい。
【００５１】
この場合、Ｐ-ＧＷは、ステップＳ２０１０においてＵＥ＃１によってＤＨＣＰ要求信号に設定された情報を考慮してもよい。
【００５２】
例えば、受信したＵＥ＃１から受信したＤＨＣＰ要求信号に設定される、ＳＲＶＣＣ改善方式に適応可能なＰ-ＣＳＣＦ/ＶＡＴＦのみを選択するか否かについての指示に関わる情報が転送されてもよい。
【００５３】
ステップＳ２０１３において、Ｐ-ＧＷは、かかるＰ-ＣＳＣＦ/ＶＡＴＦの識別情報を示すＰ-ＣＳＣＦ情報を含むＤＨＣＰ応答信号を送信する。
【００５４】
（変更例２）
以下、図５を参照して、上述の第１の実施形態の変更例２に係る移動通信システムについて、上述の第１の実施形態に係る移動通信システムとの相違点に着目して説明する。
【００５５】
以下、図５を参照して、本変更例２に係る移動通信システムにおいて、Ｅ-ＵＴＲＡＮに対するＵＥ＃１のＴＡＵ（Ｔｒａｃｋｉｎｇ  Ａｒｅａ  Ｕｐｄａｔｅ）手順について説明する。
【００５６】
図５に示すように、ステップＳ３００１において、ＵＥ＃１は、ＭＭＥに対して、ＵＥ＃１がＳＲＶＣＣ方式に適応可能な否かについて示すＵＥ＃１のＳＲＶＣＣ能力を含む「ＴＡＵ  Ｒｅｑｕｅｓｔ」を送信する。
【００５７】
具体的には、かかるＳＲＶＣＣ能力は、図３に示すように、「ＴＡＵ  Ｒｅｑｕｅｓｔ」内の「ＭＳ  ｎｅｔｗｏｒｋ  ｃａｐａｂｉｌｉｔｙ  ｖａｌｕｅ」によって表示される（例えば、３ＧＰＰ  ＴＳ２４.００８の１０.５.５１２参照）。
【００５８】
ステップＳ３００２において、ＵＥ＃１についての認証・秘匿処理及び位置登録処理が行われる。
【００５９】
ＭＭＥは、ステップＳ３００３において、ＵＥ＃１がＳＲＶＣＣ方式に適応可能であると判断した場合に、現在のＵＥ＃１に接続されているＰ-ＣＳＣＦのＳＲＶＣＣ改善方式の対応状況や、ＵＥ＃１がＳＲＶＣＣ改善方式の対応可否を変更したこと等を鑑みて、必要に応じて、ステップＳ３００４において、ＵＥ＃１に対して、再度Ａｔｔａｃｈ手順を行うように指示する再アタッチ指示信号を送信する。
【００６０】
以下、ステップＳ３００５乃至Ｓ３０１３の動作は、図２に示すステップＳ１００１乃至Ｓ１００９の動作と同一である。
【００６１】
以上に述べた本実施形態の特徴は、以下のように表現されていてもよい。
【００６２】
本実施形態の第１の特徴は、Ｅ-ＵＴＲＡＮ（回線交換通信をサポートしていない第１無線アクセスネットワーク）と、ＵＴＲＡＮ/ＧＥＲＡＮ（回線交換通信をサポートしている第２無線アクセスネットワーク）とを具備しており、ＵＥ＃１（第１移動局）の在圏ネットワーク内のＭＧＷ＃１（所定ノード）において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式（切替方式）が適応可能である移動通信システムにおける移動通信方法であって、Ｅ-ＵＴＲＡＮに接続されているＭＭＥ（移動管理ノード）が、ＵＥ＃１から受信した「Ａｔｔａｃｈ  Ｒｅｑｕｅｓｔ（位置登録要求信号）」に応じて、Ｅ-ＵＴＲＡＮに接続されているＳ-ＧＷ/Ｐ-ＧＷ（ゲートウェイ装置）に対して、ＵＥ＃１にＳＲＶＣＣ改善方式を適用するか否かについて示すＳＲＶＣＣ改善方式適用情報（適用情報）を送信する工程Ａと、ＳＲＶＣＣ改善方式適用情報を受信したＳ-ＧＷ/Ｐ-ＧＷが、ＭＧＷ＃１に対して音声通信用の経路の切替指示を送信することができるＰ-ＣＳＣＦ/ＶＡＴＦ（切替指示ノード）の識別情報を示すＰ-ＣＳＣＦ情報を、ＵＥ＃１に対して通知する工程Ｂとを有することを要旨とする。
【００６３】
本実施形態の第１の特徴において、工程Ａにおいて、ＭＭＥは、Ｓ-ＧＷ/Ｐ-ＧＷに対して、「Ｃｒｅａｔｅ  Ｂｅａｒｅｒ  Ｒｅｑｕｅｓｔ（ベアラ生成要求信号）」によってＳＲＶＣＣ改善方式適用情報を送信し、工程Ｂにおいて、Ｓ-ＧＷ/Ｐ-ＧＷは、ＭＭＥに対して、「Ｃｒｅａｔｅ  Ｂｅａｒｅｒ  Ｒｅｓｐｏｎｓｅ（ベアラ生成応答信号）」によってＰ-ＣＳＣＦ情報を送信し、ＭＭＥは、ＵＥ＃１に対して、「Ａｔｔａｃｈ  Ｒｅｓｐｏｎｓｅ（位置登録応答信号）」によってＰ-ＣＳＣＦ情報を送信してもよい。
【００６４】
本実施形態の第１の特徴において、工程Ａにおいて、ＭＭＥは、Ｓ-ＧＷ/Ｐ-ＧＷに対して、「Ｃｒｅａｔｅ  Ｂｅａｒｅｒ  Ｒｅｑｕｅｓｔ」によってＳＲＶＣＣ改善方式適用情報を送信し、工程Ｂにおいて、Ｓ-ＧＷ/Ｐ-ＧＷは、ＵＥ＃１からのＤＨＣＰ要求信号に対するＤＨＣＰ応答信号によってＰ-ＣＳＣＦ情報を送信してもよい。
【００６５】
本実施形態の第２の特徴は、Ｅ-ＵＴＲＡＮと、ＵＴＲＡＮ/ＧＥＲＡＮとを具備しており、ＵＥ＃１の在圏ネットワーク内のＭＧＷ＃１において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式が適応可能である移動通信システムであって、ＭＭＥは、ＵＥ＃１から受信した「Ａｔｔａｃｈ  Ｒｅｑｕｅｓｔ」に応じて、Ｅ-ＵＴＲＡＮに接続されているＳ-ＧＷ/Ｐ-ＧＷに対して、ＳＲＶＣＣ改善方式適用情報を送信するように構成されており、ＳＲＶＣＣ改善方式適用情報を受信したＳ-ＧＷ/Ｐ-ＧＷは、Ｐ-ＣＳＣＦ情報を、ＵＥ＃１に対して通知するように構成されていることを要旨とする。
【００６６】
本実施形態の第２の特徴において、ＭＭＥは、Ｓ-ＧＷ/Ｐ-ＧＷに対して、「Ｃｒｅａｔｅ  Ｂｅａｒｅｒ  Ｒｅｑｕｅｓｔ」によってＳＲＶＣＣ改善方式適用情報を送信するように構成されており、Ｓ-ＧＷ/Ｐ-ＧＷは、ＭＭＥに対して、「Ｃｒｅａｔｅ  Ｂｅａｒｅｒ  Ｒｅｓｐｏｎｓｅ」によってＰ-ＣＳＣＦ情報を送信するように構成されており、ＭＭＥは、ＵＥ＃１に対して、「Ａｔｔａｃｈ  Ｒｅｓｐｏｎｓｅ」によってＰ-ＣＳＣＦ情報を送信するように構成されていてもよい。
【００６７】
本実施形態の第２の特徴において、ＭＭＥは、Ｓ-ＧＷ/Ｐ-ＧＷに対して、「Ｃｒｅａｔｅ  Ｂｅａｒｅｒ  Ｒｅｑｕｅｓｔ」によってＳＲＶＣＣ改善方式適用情報を送信するように構成されており、Ｓ-ＧＷ/Ｐ-ＧＷは、ＵＥ＃１からのＤＨＣＰ要求信号に対するＤＨＣＰ応答信号によってＰ-ＣＳＣＦ情報を送信するように構成されていてもよい。
【００６８】
本実施形態の第３の特徴は、Ｅ-ＵＴＲＡＮと、ＵＴＲＡＮ/ＧＥＲＡＮとを具備しており、ＵＥ＃１の在圏ネットワーク内のＭＧＷ＃１において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式が適応可能である移動通信システムにおいて、ＵＥ＃１として機能するＵＥであって、Ｅ-ＵＴＲＡＮに接続されているＳ-ＧＷ/Ｐ-ＧＷから「Ａｔｔａｃｈ  Ｒｅｓｐｏｎｓｅ」を受信した場合に、Ｓ-ＧＷ/Ｐ-ＧＷに対してＤＨＣＰ要求信号を送信することによって、Ｐ-ＣＳＣＦ情報を取得するように構成されていることを要旨とする。
【００６９】
本発明の第４の特徴は、Ｅ-ＵＴＲＡＮと、ＵＴＲＡＮ/ＧＥＲＡＮとを具備しており、ＵＥ＃１の在圏ネットワーク内のＭＧＷ＃１において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式が適応可能である移動通信システムにおいて、Ｅ-ＵＴＲＡＮに接続されているＰ-ＧＷであって、受信したＳＲＶＣＣ改善方式適用情報に基づいて、Ｐ-ＣＳＣＦを選択するように構成されており、ＵＥ＃１に対して、選択したＰ-ＣＳＣＦの識別情報を示すＰ-ＣＳＣＦを通知するように構成されていることを要旨とする。
【００７０】
なお、上述のＭＳＣサーバ、ＭＧＷ＃１、ＭＧＷ＃２、ＭＭＥ、Ｓ-ＧＷ、Ｐ-ＧＷ、Ｐ-ＣＳＣＦ/ＶＡＴＦ、Ｉ/Ｓ-ＣＳＣＦ、ＳＣＣ  ＡＳ、ＳＧＳＮ、ＭＳＣ、ＵＥ＃１、ＵＥ＃２、ＨＳＳ、ＤＨＣＰサーバ、ＲＮＣ、ＮｏｄｅＢ、ｅＮＢの動作は、ハードウェアによって実施されてもよいし、プロセッサによって実行されるソフトウェアモジュールによって実施されてもよいし、両者の組み合わせによって実施されてもよい。
【００７１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＳＣサーバ、ＭＧＷ＃１、ＭＧＷ＃２、ＭＭＥ、Ｓ-ＧＷ、Ｐ-ＧＷ、Ｐ-ＣＳＣＦ/ＶＡＴＦ、Ｉ/Ｓ-ＣＳＣＦ、ＳＣＣ  ＡＳ、ＳＧＳＮ、ＭＳＣ、ＵＥ＃１、ＵＥ＃２、ＨＳＳ、ＤＨＣＰサーバ、ＲＮＣ、ＮｏｄｅＢ、ｅＮＢ内に設けられていてもよい。また、かかる記憶媒体及びプロセッサは、ディスクリートコンポーネントとしてＭＳＣサーバ、ＭＧＷ＃１、ＭＧＷ＃２、ＭＭＥ、Ｓ-ＧＷ、Ｐ-ＧＷ、Ｐ-ＣＳＣＦ/ＶＡＴＦ、Ｉ/Ｓ-ＣＳＣＦ、ＳＣＣ  ＡＳ、ＳＧＳＮ、ＭＳＣ、ＵＥ＃１、ＵＥ＃２、ＨＳＳ、ＤＨＣＰサーバ、ＲＮＣ、ＮｏｄｅＢ、ｅＮＢ内に設けられていてもよい。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７４】
ＵＥ＃１、ＵＥ＃２…移動局
ＭＭＥ…移動管理ノード
ＳＧＳＮ…パケット交換機
ＭＳＣ…回線交換機
Ｓ-ＧＷ、Ｐ-ＧＷ…ゲートウェイ装置
【図１】
2011259015.tif 000003
【図２】
2011259015.tif 000004
【図３】
2011259015.tif 000005
【図４】
2011259015.tif 000006
【図５】
2011259015.tif 000007
【図６】
2011259015.tif 000008